(57)【要約】【課題】  本発明は、一つのヒーターにより洗濯物を乾燥するだけでなくて洗濯水をも加熱することで低廉な費用の乾燥機兼用洗濯機と、構造および組立工程が単純な乾燥機兼用洗濯機とを提供する。また、洗濯水が乾燥装置に循環されるかまたはドラムの内部に噴射されるように制御して、洗濯またはすすぎ性能を向上した乾燥機兼用洗濯機の制御方法を提供する。【解決手段】  洗濯水を貯めるタブ６０と、前記タブ内に回転自在に位置して洗濯物を収容するとともに、空気および洗濯水が出入される通孔７４を備えたドラム７０と、前記ドラム内の洗濯物を乾燥する循環ファン８２およびヒーター８１を備えた乾燥装置８０と、前記タブ内の洗濯水が前記ドラム７０の内部に循環供給されるかまたは前記乾燥装置を通過する空気により加熱された後、前記ドラムの内部に循環供給されるように前記タブ内の洗濯水を揚水するポンピング装置９０と、を含んで乾燥機兼用洗濯機を構成する。【選択図】      図２
2005296631.tif 000002
【特許請求の範囲】
【請求項１】
洗濯水を貯めるタブと;
前記タブ内に回転自在に位置されて洗濯物を収容するとともに、空気および洗濯水が出入される通孔を備えたドラムと;
前記ドラム内の洗濯物を乾燥する循環ファンおよびヒーターを備えた乾燥装置と;
前記タブ内の洗濯水が前記ドラムの内部に循環供給されるか、前記乾燥装置を通過する空気により加熱された後、前記ドラムの内部に循環供給されるように前記タブ内の洗濯水をポンピングするポンピング装置と；
を含んで構成されたことを特徴とする乾燥機兼用洗濯機。
【請求項２】
洗濯水を貯めるタブと；
前記タブ内に回転自在に位置されて洗濯物を収容するとともに、空気および洗濯水が出入される通孔を備えたドラムと;
前記ドラム内の洗濯物を乾燥する循環ファンおよびヒーターを備えた乾燥装置と;
前記タブ内の洗濯水が前記乾燥装置を通過する空気により加熱された後、前記ドラムの内部に循環供給されるように前記タブ内の洗濯水をポンピングするポンピング装置と；を含んで構成されたことを特徴とする乾燥機兼用洗濯機。
【請求項３】
前記乾燥装置は、前記タブの内部に熱風を吐出する前記ヒーターおよび循環ファンが内蔵された乾燥ダクトと、前記タブの内部の空気を前記乾燥ダクトに案内する凝縮ダクトと、前記凝縮ダクトを通過する空気中の湿気が凝縮されるように前記凝縮ダクトの内側に冷却水を流す給水ノズルと、前記給水ノズルに冷却水を案内する冷却水ホースと、前記冷却水ホースに給水される冷却水を取り締まる冷却水バルブと、を含んで構成されたことを特徴とする請求項１または請求項２記載の乾燥機兼用洗濯機。
【請求項４】
前記ポンピング装置は、前記タブ内の洗濯水を排水するように前記タブに連結された排水ベローズと、前記排水ベローズに排水された洗濯水をポンピングする循環ポンプと、前記循環ポンプによりポンピングされた洗濯水が前記乾燥装置の内部に供給されるか、前記ドラムの内部に供給されるように案内する循環流路と、を含んで構成されたことを特徴とする請求項１記載の乾燥機兼用洗濯機。
【請求項５】
前記循環流路は、前記循環ポンプに連結された共通流路と、前記共通流路に連通形成された乾燥装置連結流路と、前記共通流路に連通形成されたドラム噴射流路と、を含んで構成されたことを特徴とする請求項４記載の乾燥機兼用洗濯機。
【請求項６】
前記ポンピング装置は、前記乾燥装置連結流路またはドラム噴射流路を開閉する洗濯水循環制御バルブをさらに含んで構成されたことを特徴とする請求項５記載の乾燥機兼用洗濯機。
【請求項７】
前記共通流路は、前記循環ポンプに一端が連結され、前記洗濯水循環制御バルブに他端が連結された共通ホースにより形成されたことを特徴とする請求項６記載の乾燥機兼用洗濯機。
【請求項８】
前記乾燥装置連結流路は、前記洗濯水循環制御バルブに一端が連結され、前記乾燥装置に他端が連結される乾燥装置連結ホースと、前記乾燥装置連結ホースを通過した洗濯水が前記ヒーターによって加熱された空気により加熱されるように、洗濯水を前記ヒーターの後方に噴霧する噴霧ノズルと、を含んで構成されたことを特徴とする請求項６記載の乾燥機兼用洗濯機。
【請求項９】
前記ドラム噴射流路は、前記洗濯水循環制御バルブに一端が連結され、前記ドラムの前側に他端が配置されたドラム噴射ホースと、前記ドラム噴射ホースを通過した洗濯水が前記ドラムの内部に噴射されるように前記ドラム噴射ホースの他端に連結され、前記ドラムの内部に向かって開口部が形成された噴射ノズルと、を含んで構成されたことを特徴とする請求項６記載の乾燥機兼用洗濯機。
【請求項１０】
前記ポンピング装置は、前記タブ内の洗濯水を排水するように前記タブに連結された排水ベローズと、前記排水ベローズに排水された洗濯水をポンピングする循環ポンプと、前記循環ポンプによりポンピングされた洗濯水を前記乾燥装置に案内する循環流路と、を含んで構成されたことを特徴とする請求項２記載の乾燥機兼用洗濯機。
【請求項１１】
洗濯行程またはすすぎ行程時、乾燥装置の循環ファンおよびヒーターをオンにし、
タブ内の洗濯水が前記ヒーターを通過した空気により加熱されて前記ドラムの内部に供給されるか、ドラムの前方から内部に供給されるように循環ポンプをオンにすることを特徴とする乾燥機兼用洗濯機の制御方法。
【請求項１２】
前記循環ポンプによりポンピングされた洗濯水の一部が前記ヒーターを通過した空気によって加熱され、その残りがドラムの内部に供給されるように循環流路上に設置された洗濯水循環制御バルブを同時モードで制御することを特徴とする請求項１１記載の乾燥機兼用洗濯機の制御方法。
【請求項１３】
前記循環ポンプによりポンピングされた洗濯水が交互に前記ヒーターを通過した空気によって加熱されるか、ドラムの内部に供給されるように循環流路上に設置された洗濯水循環制御バルブを交代モードで制御することを特徴とする請求項１１記載の乾燥機兼用洗濯機の制御方法。
【発明の詳細な説明】
【技術分野】
【０００１】
本発明は、洗濯だけでなく乾燥をも行える乾燥機兼用洗濯機に関するもので、詳しくは、洗濯水を乾燥装置により加熱するために、別途の洗濯水加熱用ヒーターが必要でない乾燥機兼用洗濯機およびその制御方法に関するものである。
【背景技術】
【０００２】
一般に、洗濯機は、洗剤および洗濯水の作用により洗濯物の汚染物質を除去する機器であって、撹拌式(agitator  type)、渦流式(pulsator  type)およびドラム式(drum  type)洗濯機に分類される。
【０００３】
すなわち、撹拌式洗濯機は、洗濯槽の中央に突設された洗濯棒を左右に回転しながら洗濯し、渦流式洗濯機は、洗濯槽の下部に形成された円板状のパルセーターを左右に回転しながら、水流と洗濯物との間の摩擦力により洗濯し、ドラム式洗濯機は、タブの内部に突出されたリフターを備えたドラムが回転自在に配置されることで、ドラムの内部に洗濯水、洗剤および洗濯物を入れて回転しながら洗濯する。
【０００４】
最近は、洗濯力を高めるために、洗濯水を加熱するヒーターと、洗濯物を乾燥する乾燥装置とが装着された乾燥機兼用洗濯機が増加されつつある。
【０００５】
図１は、従来の乾燥機兼用洗濯機を示した一部切欠側面図である。
図１に示すように、従来の洗濯機は、ケーシング２と、このケーシング２に装着されて洗濯水ｗを貯めるタブ４と、このタブ４の内側に回動自在に配置されて洗濯物ｍを収容するドラム１０と、このドラム１０を回転するモータ２０と、前記タブ４の内側下部に装着され、洗濯またはすすぎ行程時に洗濯水を加熱する洗濯水加熱用ヒーター２２と、前記タブの外側に装着され、乾燥行程時にタブ４内の空気を循環しながら乾燥する乾燥装置３０と、を含んで構成されている。
【０００６】
前記タブ４の上側には、洗濯またはすすぎ行程時、前記タブ４内に洗濯水または洗剤を供給する給水装置６が連結され、前記タブ４の下側には、タブ４内の洗濯水を外部に排水する排水装置８が連結される。
【０００７】
また、前記タブ４の内側下部には、前記洗濯水加熱用ヒーター２２を収容するヒーター収容部５が凹設され、前記洗濯水加熱用ヒーター２２とタブ４との間には、漏水防止のためのシーリング部材が装着される。
【０００８】
前記洗濯水加熱用ヒーター２２は、前記タブ４のヒーター収容部５に収容されて電源の印加時に発熱される発熱部２３と、この発熱部２３に電源を印加するように電線２４に連結される電源印加部２５と、から構成される。
【０００９】
前記乾燥装置３０は、前記タブ４の内部に熱風を吐出するヒーター３２および循環ファン３４が内蔵された乾燥ダクト３６と、前記タブ４の内部の空気を前記乾燥ダクト３６に案内する凝縮ダクト３８と、この凝縮ダクト３８の一方の側に形成され、前記凝縮ダクト３８を通過する空気中の湿気が凝縮されるように前記凝縮ダクト３８の内側に冷却水を流す給水ノズル４０と、から構成される。
【００１０】
以下、このように構成された従来の乾燥機兼用洗濯機の動作を説明する。
まず、洗濯またはすすぎ行程時、前記給水装置６により前記タブ４の内側に洗濯水ｗを給水し、前記モータ２０の駆動により前記ドラム１０を回転することで、前記ドラム１０の内部で洗濯物ｍが洗濯される。
【００１１】
一方、前記洗濯またはすすぎ行程時、前記洗濯水加熱用ヒーター２２に電源が供給されて洗濯水ｗを加熱し、この加熱された洗濯水ｗは、洗濯物の洗濯またはすすぎ性能をさらに向上する。
【００１２】
前記洗濯またはすすぎ行程が終了されると、前記排水装置８により前記タブ４内の洗濯水を洗濯機の外部に排水する。
【００１３】
その後、前記洗濯機により脱水行程を行って、前記モータ２０が前記ドラム１０を高速回転すると、洗濯物ｍが前記ドラム１０と共に回転することで、水気が遠心脱水されるようになる。
【００１４】
その後、前記洗濯機は、洗濯物ｍを乾燥するために前記モータ２０を駆動して前記ドラム１０を回転し、前記ヒーター３２および循環ファン３４をオンにし、前記給水ノズル４０を通して冷却水を給水する。
【００１５】
ここで、前記循環ファン３４をオンにしたとき、前記ドラム１０およびタブ４内の空気は、前記凝縮ダクト３８を通過して冷却水により凝縮されることで湿度が低くなり、前記乾燥ダクト３６を通過して前記ヒーター３２により加熱されることで高温低湿に変換され、前記ドラム１０の内部に循環されて洗濯物を乾燥する。
【００１６】
しかしながら、従来の乾燥機兼用洗濯機は、洗濯またはすすぎ行程時、洗濯水ｗを加熱するための洗濯水加熱用ヒーター２２と、乾燥行程時に洗濯物ｍを乾燥する乾燥装置３０とが別途に装着されるため、費用が増大するという問題点があった。
【００１７】
また、タブ４の内側下部にヒーター収容部５を別途に形成し、洗濯水加熱用ヒーター２２をタブ４に装着するので、タブ４および洗濯水加熱用ヒーター２２などの構造が煩雑になり、組立工程も複雑になるという問題点があった。
【発明の開示】
【発明が解決しようとする課題】
【００１８】
本発明は、従来の問題点を解決するためになされたもので、一つのヒーターにより洗濯物を乾燥するだけでなく、洗濯水をも加熱することで、低廉な費用の乾燥機兼用洗濯機を提供することを目的とする。
【００１９】
また、構造および組立工程が単純な乾燥機兼用洗濯機を提供することを目的とする。
さらに、洗濯水が乾燥装置に循環されるか、またはドラムの内部に噴射されるように制御することで、洗濯またはすすぎ性能を向上できる乾燥機兼用洗濯機の制御方法を提供することを目的とする。
【課題を解決するための手段】
【００２０】
前記目的を達成するため、本発明の乾燥機兼用洗濯機は、洗濯水を貯めるタブと;前記タブ内に回転自在に位置されて洗濯物を収容するとともに、空気および洗濯水が出入される通孔を備えたドラムと;前記ドラム内の洗濯物を乾燥する循環ファンおよびヒーターを備えた乾燥装置と;前記タブ内の洗濯水が前記ドラムの内部に循環供給されるか、前記乾燥装置を通過する空気により加熱された後、前記ドラムの内部に循環供給されるように前記タブ内の洗濯水をポンピングするポンピング装置と；を含んで構成されることを特徴とする。
【００２１】
また、本発明の乾燥機兼用洗濯機は、洗濯水を貯めるタブと;前記タブ内に回転自在に位置されて洗濯物を収容するとともに、空気および洗濯水が出入される通孔を備えたドラムと;前記ドラム内の洗濯物を乾燥する循環ファンおよびヒーターを備えた乾燥装置と;前記タブ内の洗濯水が前記乾燥装置を通過する空気により加熱された後、前記ドラムの内部に循環供給されるように前記タブ内の洗濯水をポンピングするポンピング装置と；を含んで構成されたことを特徴とする。
【００２２】
前記乾燥装置は、前記タブの内部に熱風を吐出する前記ヒーターおよび循環ファンが内蔵された乾燥ダクトと、前記タブの内部の空気を前記乾燥ダクトに案内する凝縮ダクトと、前記凝縮ダクトを通過する空気中の湿気が凝縮されるように前記凝縮ダクトの内側に冷却水を流す給水ノズルと、前記給水ノズルに冷却水を案内する冷却水ホースと、前記冷却水ホースに給水される冷却水を取り締まる冷却水バルブと、を含んで構成されたことを特徴とする。
【００２３】
前記ポンピング装置は、前記タブ内の洗濯水が排水されるように前記タブに連結された排水ベローズと、前記排水ベローズに排水された洗濯水をポンピングする循環ポンプと、前記循環ポンプによりポンピングされた洗濯水が前記乾燥装置の内部に供給されるか、前記ドラムの内部に供給されるように案内する循環流路と、を含んで構成されたことを特徴とする。
【００２４】
また、前記循環流路は、前記循環ポンプに連結された共通流路と、前記共通流路に連通形成された乾燥装置連結流路と、前記共通流路に連通形成されたドラム噴射流路と、を含んで構成されたことを特徴とする。
【００２５】
前記ポンピング装置は、前記乾燥装置連結流路またはドラム噴射流路を開閉する洗濯水循環制御バルブをさらに含んで構成されたことを特徴とする。
【００２６】
前記共通流路は、前記循環ポンプに一端が連結され、前記洗濯水循環制御バルブに他端が連結された共通ホースにより形成されたことを特徴とする。
【００２７】
前記乾燥装置連結流路は、前記洗濯水循環制御バルブに一端が連結され、前記乾燥装置に他端が連結される乾燥装置連結ホースと、前記乾燥装置連結ホースを通過した洗濯水が前記ヒーターにより加熱された空気により加熱されるように、洗濯水を前記ヒーターの後方に噴霧する噴霧ノズルと、を含んで構成されたことを特徴とする。
【００２８】
前記ドラム噴射流路は、前記洗濯水循環制御バルブに一端が連結され、前記ドラムの前側に他端が配置されたドラム噴射ホースと、前記ドラム噴射ホースを通過した洗濯水が前記ドラムの内部に噴射されるように前記ドラム噴射ホースの他端に連結され、前記ドラムの内部に向かって開口部が形成された噴射ノズルと、を含んで構成されたことを特徴とする。
【００２９】
前記ポンピング装置は、前記タブ内の洗濯水を排水するように前記タブに連結された排水ベローズと、前記排水ベローズに排水された洗濯水をポンピングする循環ポンプと、前記循環ポンプによりポンピングされた洗濯水を前記乾燥装置に案内する循環流路と、を含んで構成されたことを特徴とする。
【００３０】
また、本発明による乾燥機兼用洗濯機の制御方法は、洗濯行程またはすすぎ行程時、乾燥装置の循環ファンおよびヒーターをオンにし、タブ内の洗濯水が前記ヒーターを通過した空気により加熱されて前記ドラムの内部に供給されるか、ドラムの前方からドラムの内部に供給されるように循環ポンプをオンにすることを特徴とする。
【００３１】
また、本発明による乾燥機兼用洗濯機の制御方法は、前記循環ポンプによりポンピングされた洗濯水の一部が前記ヒーターを通過した空気により加熱され、その残りがドラムの内部に供給されるように循環流路上に設置された洗濯水循環制御バルブを同時モードで制御することを特徴とする。
【００３２】
また、本発明による乾燥機兼用洗濯機の制御方法は、前記循環ポンプによりポンピングされた洗濯水が交互に前記ヒーターを通過した空気により加熱されるか、ドラムの内部に供給されるように循環流路上に設置された洗濯水循環制御バルブを交代モードで制御することを特徴とする。
【発明の効果】
【００３３】
本発明の乾燥機兼用洗濯機は、乾燥装置のヒーターにより洗濯水を加熱することで、別途の洗濯水加熱用ヒーターなしでも高温洗濯を行えるので、費用が低廉で、かつ、タブなどの構造が簡単であるという効果がある。
【００３４】
また、本発明による乾燥機兼用洗濯機は、洗濯水を乾燥装置の内部にポンピングして加熱した後、ドラムの内部に噴射するだけでなく、加熱なしでもドラムの内部に均一に噴射することができ、洗濯およびすすぎ性能を向上し、かつ、洗濯水の量を縮小できるという効果がある。
【００３５】
また、本発明による乾燥機兼用洗濯機は、洗濯水循環制御バルブが乾燥装置連結流路またはドラム噴射流路を開閉することで、ヒーターの加熱による高温洗濯および洗濯水噴射による洗濯を選択することができ、洗濯物の種類などを考慮した最適の洗濯/すすぎ性能が得られるという効果がある。
【００３６】
また、本発明による乾燥機兼用洗濯機は、ヒーターの後方に洗濯水を噴霧する噴霧ノズルをさらに含んで構成されることで、スチーム洗濯をも行えるという効果がある。
【００３７】
また、本発明による乾燥機兼用洗濯機の制御方法は、洗濯水中の一部がヒーターを通過した空気により加熱され、その残りがドラムの内部に噴射されるようにするか、もしくは、洗濯水が交互に前記ヒーターを通過した空気により加熱されるか、ドラムの内部に噴射されるようにすることで、高温洗濯および洗濯水噴射による洗濯/すすぎ性能を同時に向上できるという効果がある。
【発明を実施するための最良の形態】
【００３８】
以下、本発明による乾燥機兼用洗濯機およびその制御方法の実施形態を、図面に基づいて説明する。
【００３９】
図２は、本発明による乾燥機兼用洗濯機の第１実施形態を示した一部分解斜視図であり、図３は、本発明による乾燥機兼用洗濯機の第１実施形態の洗濯またはすすぎ行程時を示した一部切欠側断面図であり、図４は、本発明による乾燥機兼用洗濯機の第１実施形態の乾燥行程時を示した一部切欠側断面図である。
【００４０】
本実施形態による洗濯機は、図２乃至図４に示すように、外観をなすケーシング５０と、このケーシング５０の内部に装着されて洗濯水ｗを貯めるタブ６０と、このタブ６０の内側に回動自在に配置されて洗濯物ｍを収容するドラム７０と、このドラム７０内の洗濯物を乾燥する乾燥装置８０と、前記タブ６０内の洗濯水が前記ドラム７０の内部に循環供給されるか、前記乾燥装置８０を通過する空気により加熱された後、前記ドラム７０の内部に循環供給されるように前記タブ６０内の洗濯水をポンピングするポンピング装置９０と、を含んで構成されている。
【００４１】
前記ケーシング５０は、ベース５２と、このベース５２の上側に配置されて前面が開放されたキャビネット５４と、このキャビネット５４の前面に配置されて洗濯物出入ホール５６Ａを備えたキャビネットカバー５６と、前記キャビネット５４の上面に配置されたトップカバー５８と、から構成される。
【００４２】
前記キャビネットカバー５６には、前記洗濯物出入ホール５６Ａを開閉するドア５６Ｂが回動自在に装着される。
【００４３】
前記タブ６０は、前記ベース５２に連結されたダンパー６１Ａに載置されることで、前記ベース５２に緩衝自在に支持され、かつ、前記キャビネット５４に連結されたスプリング６１Ｂに懸架されることで、前記キャビネット５４に緩衝自在に支持される。
【００４４】
前記タブ６０は、横向きの円筒状に形成されており、その前面中央には開口ホール６２が形成され、上部の一方の側には洗濯水または洗剤が供給される給水装置６４が連結され、下部の一方の側には前記ポンピング装置９０が連結される。
【００４５】
また、前記給水装置６４は、外部ホース６４Ａに連結され、この外部ホース６４Ａを通して供給される洗濯水を制御する給水バルブ６４Ｂと、この給水バルブ６４Ｂを通過した洗濯水を案内する給水ホース６４Ｃと、この給水ホース６４Ｃに案内された洗濯水ｗに含まれる洗剤ｗを貯める洗剤桶６４Ｄと、この洗剤桶６４Ｄから排出された洗濯水ｗまたは洗剤を前記タブ６０の内部に案内する給水ベローズ管６４Ｅと、を含んで構成される。
【００４６】
前記タブ６０には、前記ドア５６Ｂの閉鎖時、前記ドア５６Ｂと密着されて洗濯水ｗまたは洗濯物ｍの離脱を防止するガスケット６６が装着される。
【００４７】
前記タブ６０には、前記ドラム７０を回転するためのモータ６８が装着される。
前記モータ６８は、前記タブ６０の背面に装着されており、前記ドラム７０を直接回転するように回転軸が前記タブ６０を貫通して前記ドラム７０の背面部に連結される。
【００４８】
前記ドラム７０は、横たわった円筒状に形成されており、その前面中央には洗濯物が出入される洗濯物出入ホール７２が形成され、周面または背面には洗濯水ｗまたは空気が流出入される通孔７４が形成され、内周面には洗濯物を持ち上げてから落下するリフター７６が突出装着される。
【００４９】
前記乾燥装置８０は、前記タブ６０およびドラム７０内の空気を吸入して加熱した後、ドラム７０の内部に再び循環して前記ドラム７０内の洗濯物ｍを乾燥するものであって、前記タブ６０の内部に熱風を吐出するヒーター８１および循環ファン８２を内蔵する乾燥ダクト８３を含む。
【００５０】
前記乾燥装置８０は、前記タブ６０の内部の空気を前記乾燥ダクト８３に案内する凝縮ダクト８４と、この凝縮ダクト８４の一方の側に形成され、前記凝縮ダクト８４を通過する空気中の湿気が凝縮されるように前記凝縮ダクト８４の内側に冷却水を流す冷却水ノズル８５と、この冷却水ノズル８５に冷却水を案内する冷却水ホース８６と、この冷却水ホース８６に給水される冷却水を制御する冷却水バルブ８７と、を含んで構成される。
【００５１】
前記ポンピング装置９０は、前記タブ６０内の洗濯水ｗを前記ドラム７０の内部に供給するか、あるいは前記乾燥装置８０を通過する空気により加熱した後に、前記ドラム７０の内部に供給するように前記タブ６０内の洗濯水を循環する装置であって、したがって、前記タブ６０内の洗濯水を排水するように前記タブ６０の排水口に連結された排水ベローズ９１を含んで構成される。
【００５２】
前記ポンピング装置９０は、前記排水ベローズ９１を通して排水された洗濯水から抜き糸などの異物質をろ過するフィルタ９２を備えたフィルタケース９３を含んで構成される。
【００５３】
前記ポンピング装置９０は、洗濯水を循環するためにポンピングする循環ポンプ９４と、この循環ポンプ９４によりポンピングされた洗濯水を案内する循環流路と、を含んで構成される。
【００５４】
前記循環ポンプ９４は、前記フィルタケース９３内の洗濯水がポンピングされるように前記フィルタケース９３の一方の側に装着される。
【００５５】
前記循環ポンプ９４は、洗濯水をポンピングするインペラーと、このインペラーを回転するモータ部と、から構成される。
【００５６】
前記循環流路は、前記循環ポンプ９４に連結された共通流路と、この共通流路に連結された乾燥装置連結流路と、前記共通流路に連結されたドラム噴射流路と、前記乾燥装置連結流路またはドラム噴射流路を開閉する洗濯水循環制御バルブ９５と、を含んで構成される。
【００５７】
前記共通流路は、一端が前記循環ポンプ９４に連結され、他端が前記洗濯水循環制御バルブ９５に連結された共通ホース９６により形成される。
【００５８】
前記乾燥装置連結流路は、一端が前記洗濯水循環制御バルブ９５に連結され、他端が前記乾燥ダクト８３に連結される乾燥装置連結ホース９７と、この乾燥装置連結ホース９７を通過した洗濯水ｗを前記ヒーター８１の後方に噴霧する噴霧ノズル９８と、により形成される。
【００５９】
前記噴霧ノズル９８は、ポンピングされた洗濯水が衝突して噴霧されるメッシュ構造となっている。
【００６０】
前記ドラム噴射流路は、一端が前記洗濯水循環制御バルブ９５に連結され、他端が前記ドラム７０の前側にある前記ガスケット６６の周辺に位置されたドラム噴射ホース９９と、このドラム噴射ホース９９を通過した洗濯水が前記ドラム６０の内部に噴射するように前記ドラム噴射ホース９９の他端に連結されて前記ガスケット６６を貫通するように前記ガスケット６６に装着された噴射ノズル１００と、により形成される。
【００６１】
前記噴射ノズル１００は、前記ガスケット６６を貫通して装着され、前記ドラム７０の内部に向かって開口部１０１が形成される。
【００６２】
一方、前記洗濯水循環制御バルブ９５は、前記共通ホース９６に連結される一つの入口部と、前記乾燥装置連結ホース９７に連結される第１出口部と、前記ドラム噴射ホース９９に連結される第２出口部と、を備えたバルブケーシングと、前記第１出口部または第２出口部を開閉するように前記バルブケーシングの内部に設置されたバルブ体と、このバルブ体が第１出口部および第２出口部のうちいずれか一つを開放するか、第１出口部および第２出口部の全てを開放するように前記バルブ体を作動するソレノイドと、から構成される。
【００６３】
図２中の、符号１０２は、前記フィルタケース９３の他側に装着された排水ポンプであり、符号１０４は、前記排水ポンプ１０４によりポンピングされた洗濯水ｗを洗濯機の外部に案内する排水ホースである。
【００６４】
図５は、本発明による乾燥機兼用洗濯機の第１実施形態を示した制御ブロック図である。
本実施形態による乾燥機兼用洗濯機は、洗濯、すすぎ、脱水、乾燥行程及び時間などの運転条件を入力する操作部１１０と、この操作部１１０の入力によって前記モータ６８と、給水バルブ６４Ｂと、ヒーター８１と、循環ファン８２と、冷却水バルブ８７と、循環ポンプ９４と、洗濯水循環制御バルブ９５を制御する制御部１２０と、を含んで構成されている。
以下、このように構成された本発明による乾燥機兼用洗濯機の動作を説明する。
【００６５】
図６Ａ、図６Ｂ及び図６Ｃは、本発明による乾燥機兼用洗濯機の制御方法の第１実施形態を示した制御フローチャートである。
まず、前記ドラム７０の内部に洗濯物ｍを投入した後、前記ドア５６Ｂを閉鎖して前記洗濯機を作動すると、前記乾燥機兼用洗濯機は、前記操作部１１０を通して入力された運転命令によって洗濯と、すすぎと、脱水と、乾燥行程とを実施する。
【００６６】
前記制御部１２０は、洗濯行程が選択された場合、洗濯水がタブ６０内の設定水位に達するまで前記給水バルブ６４Ｂをオンにし、給水された洗濯水が設定水位に達すると、前記給水バルブ６４Ｂをオフにする(Ｓ１、Ｓ２)。
【００６７】
前記給水バルブ６４Ｂのオンにより給水された洗濯水ｗは、前記給水ホース６４Ｃ、洗剤桶６４Ｄおよび給水ベローズ６４Ｅを順に通過してタブ６０の内側に流入されるが、この流入された洗濯水ｗの一部が前記排水ベローズ９１に貯められ、ほとんどがタブ６０の内側下部に貯められる。
【００６８】
このとき、前記タブ６０の内側下部に貯められた洗濯水ｗは、前記ドラム７０の洗濯物出入ホール７２または通孔７４を通過して前記ドラム７０の内側に流入され、洗濯物ｍを浸すようになる。
【００６９】
一方、前記制御部１２０は、前記のような洗濯水の給水が終了(給水バルブのオフ)された後、あるいは洗濯水の給水が進行される途中に、前記モータ６８を設定時間の間オンにする(Ｓ３)。
【００７０】
次いで、前記モータ６８のオンにより前記ドラム７０が回転することで、洗濯物ｍを前記リフター７６により持ち上げてから落下しながら洗濯するようになる。
【００７１】
一方、前記制御部１２０は、前記のような洗濯水の給水が終了(給水バルブのオフ)された後、あるいは洗濯水の給水が進行される途中に、前記ヒーター８１および循環ファン８２を設定時間の間オンにする(Ｓ４)。
【００７２】
次いで、前記ヒーター８１および循環ファン８２がオンになると、前記ドラム７０またはタブ６０内の空気が前記循環ファン８２により押送され、凝縮ダクト８４および乾燥ダクト８３を順に通過するようになり、前記ヒーター８１により加熱された後、前記ドラム７０の前方を通してドラム７０の内部に循環される。
【００７３】
また、前記制御部１２０は、前記ヒーター８１および循環ファン８２がオンになるとともに、前記循環ポンプ９４を設定時間の間オンにし、前記洗濯水循環制御バルブ９５を同時モードあるいは交代モードのうちいずれか一つで制御する(Ｓ５)。
【００７４】
ここで、前記同時モードは、ポンピングされた洗濯水中の一部が前記ヒーター８１を通過した空気により加熱され、その残りがドラム７０の内部に噴射されるように前記乾燥装置連結流路およびドラム噴射流路を共に開放することで、前記交代モードは、ポンピングされた洗濯水が交互に前記ヒーター８１を通過した空気により加熱されるか、ドラム７０の内部に噴射されるように乾燥装置連結流路およびドラム噴射流路を所定時間の間隔で選択的に開放することである。
【００７５】
前記循環ポンプ９４がオンになり、前記洗濯水循環制御バルブ９５が同時モードである場合、前記排水ベローズ９１内の洗濯水ｗは、前記循環ポンプ９４により前記共通ホース９６にポンピングされ、このポンピングされた洗濯水は、前記洗濯水循環制御バルブ９５を通過しながら前記乾燥装置連結ホース９７およびドラム噴射ホース９９に分散される。
前記乾燥装置連結ホース９７に分散された一部の洗濯水ｗは、前記噴霧ノズル９８により噴霧状水適にされて前記ヒーター８１の後方に噴霧され、この噴霧された洗濯水は、前記ヒーター８１を通過した高温空気と接触されながら加熱されてスチームに変わり、空気と共に前記ドラム７０の前方に案内された後、前記ドラム７０の内側の洗濯物ｍを浸すことで、この洗濯物ｍを高温に洗濯するようになる。
【００７６】
また、前記ドラム噴射ホース９９に分散された残りの洗濯水ｗは、前記噴射ノズル１００を通過しながらドラム７０の内側に噴射され、このドラム７０の内側の洗濯物ｍに衝突しながら洗濯物ｍの洗濯力を高めるとともに、この洗濯物ｍを迅速に浸すようになる。
一方、前記循環ポンプ９４がオンになり、前記洗濯水循環制御バルブ９５が交代モードである場合、前記排水ベローズ９１内の洗濯水ｗは、前記循環ポンプ９４により前記共通ホース９６にポンピングされ、このポンピングされた洗濯水は、交互に前記乾燥装置連結ホース９７およびドラム噴射ホース９９にポンピングされる。
【００７７】
まず、前記乾燥装置連結ホース９７に洗濯水ｗがポンピングされるときは、このポンピングされた洗濯水ｗが噴霧および加熱された後、前記ドラム７０の内側の洗濯物ｍを浸すことで、この洗濯物ｍを高温にして洗濯し、一方、前記ドラム噴射ホース９９に洗濯水ｗがポンピングされるときは、このポンピングされた洗濯水がドラム７０の内部に噴射されて洗濯物ｍの洗濯力を高めるとともに、この洗濯物ｍを迅速に浸すようになる。
【００７８】
前記制御部１２０は、前記のように、前記ヒーター８１および循環ファン８２がオンになり、前記循環ポンプ９４がオンになった後、設定時間が経過されると、前記ヒーター８１および循環ファン８２をオフにするとともに、前記循環ポンプ９４をオフにする(Ｓ６)。
【００７９】
そして、前記制御部１２０は、前記モータ６８がオンになった後、設定時間が経過されると、前記モータ６８をオフにする(Ｓ７)。
【００８０】
このようにして、前記乾燥機兼用洗濯機により洗濯が行われた後、前記タブ７０の内側下部、排水ベローズ９１およびフィルタケース９３の内部に残存する汚染された洗濯水を排水する(Ｓ８)。
【００８１】
すなわち、前記制御部１２０は、前記排水ポンプ１０２を設定時間の間駆動して、前記タブ７０の内側下部、排水ベローズ９１およびフィルタケース９３内の汚染された洗濯水が、排水ホース１０４を通して洗濯機の外部に排水される。
【００８２】
その後、前記制御部１２０は、すすぎ行程が選択された場合、前記洗濯行程時と同様に、洗濯水ｗを給水し、この洗濯水ｗを循環してドラム７０を回転した後、洗濯物ｍからの汚染された洗濯水ｗを外部に排水するために、前記給水バルブ６４Ｂ、モータ６８、ヒーター９１、循環ファン９２、循環ポンプ９４、洗濯水循環制御バルブ９５および排水ポンプ１０２を制御する(Ｓ９〜Ｓ１６)。
【００８３】
このとき、前記タブ６０の内部に給水された新しい洗濯水ｗは、前記洗濯行程時と同様に、噴霧および加熱されてドラム７０の内部の洗濯物ｍを高温にすすぐか、ドラム７０の内部に噴射されることで、洗濯物ｍのすすぎ力を高めるとともに、洗濯物ｍを迅速に浸すようになる。
【００８４】
次いで、前記制御部１２０は、脱水行程が選択された場合、前記モータ６８を設定時間の間高速駆動して、前記ドラム７０が前記モータ６８により高速回転することで、洗濯物ｍに残存する水気が遠心脱水される(Ｓ１７、Ｓ１８、Ｓ１９)。
【００８５】
次いで、前記制御部１２０は、前記排水ポンプ１０２を駆動し、前記排水ポンプ１０２は、脱水された洗濯水を洗濯機の外部に排水する(Ｓ２０)。
次いで、前記制御部１２０は、乾燥行程が選択された場合、設定時間の間前記モータ６８をオンにする(Ｓ２１、Ｓ２２)。
【００８６】
前記モータ６８のオンにより前記ドラム７０が回転することで、洗濯物ｍを前記リフター７６により持ち上げてから落下しながらドラム７０の内部で上下移動する。
【００８７】
次いで、前記制御部１２０は、前記モータ６８がオンであるとき、前記ヒーター８１および循環ファン８２を設定時間の間オンにして前記冷却水バルブ８７をオンにする(Ｓ２３)。
【００８８】
前記冷却水バルブ８７がオンであるとき、前記冷却水ホース８６を通過した冷却水が前記冷却水ノズル８５を通して凝縮ダクト８４の内側に流れる。
【００８９】
一方、前記ヒーター８１および前記循環ファン８２がオンであるとき、前記ドラム７０およびタブ６０内の空気は、前記凝縮ダクト８４を通過しながら冷却水により凝縮されて湿度が低くなり、前記乾燥ダクト８３を通過しながら前記ヒーター８１により加熱されて高温低湿に変換され、前記ドラム７０の内部に循環されて洗濯物ｍを乾燥する。
【００９０】
次いで、前記制御部１２０は、前記のように前記ヒーター８１および循環ファン８２がオンになって設定時間が経過されると、前記ヒーター８１、循環ファン８２および前記冷却水バルブ８７をオフにする(Ｓ２４)。
【００９１】
次いで、前記制御部１２０は、前記モータ６８がオンになって設定時間が経過されると、前記モータ６８をオフにする(Ｓ２５)。
【００９２】
次いで、前記制御部１２０は、前記排水ポンプ１０２を駆動するが、この排水ポンプ１０２は、凝縮ダクト８４を通過しながら凝縮された凝縮水および冷却水ノズル８５を通して流れた洗濯水を洗濯機の外部に排水する(Ｓ２６)。
【００９３】
図７は、本発明による乾燥機兼用洗濯機の第２実施形態を示した一部分解斜視図であり、図８は、本発明による乾燥機兼用洗濯機の第２実施形態を示した一部切欠断面図であり、図９は、本発明による乾燥機兼用洗濯機の第２実施形態を示した制御ブロック図である。
【００９４】
本実施形態による乾燥機兼用洗濯機は、図６および図７に示すように、タブ６０内の洗濯水ｗが乾燥装置８０を通過する空気により加熱された後、ドラム７０の内部に循環供給されるようにタブ６０内の洗濯水ｗを循環するポンピング装置１３０を含んで構成され、前記ポンピング装置１３０以外の、ケーシング５０、タブ６０、ドラム７０および乾燥装置８０などの構成および作用は、本発明の第１実施形態と同一であるので、同一符号を使用するが詳細な説明を省略する。
【００９５】
前記ポンピング装置１３０は、前記タブ６０内の洗濯水が排水されるように前記タブ６０の排水口に連結された排水ベローズ１３１を含んで構成される。
【００９６】
前記ポンピング装置１３０は、前記排水ベローズ１３１を通して排水された洗濯水ｗから抜き糸などの異物質をろ過するフィルタ１３２を備えたフィルタケース１３３を含んで構成される。
【００９７】
前記ポンピング装置１３０は、洗濯水を循環するためにポンピングする循環ポンプ１３４と、この循環ポンプ１３４によりポンピングされた洗濯水を前記乾燥装置８０に案内する循環流路と、を含んで構成される。
【００９８】
前記循環ポンプ１３４は、前記フィルタケース１３３内の洗濯水がポンピングされるように前記フィルタケース１３３の一側に装着される。
【００９９】
前記循環ポンプ１３４は、洗濯水をポンピングするためのインペラーと、このインペラーを回転するモータ部と、から構成される。
【０１００】
前記循環流路は、一端が前記循環ポンプ１３４に連結され、他端が乾燥装置８０の乾燥ダクト８３に連結された乾燥装置連結ホース１３７と、この乾燥装置連結ホース１３７を通過した洗濯水を乾燥装置８０のヒーター８１の後方に噴霧する噴霧ノズル１３８と、により形成される。
【０１０１】
前記噴霧ノズル１３８は、ポンピングされた洗濯水が衝突して噴霧されるメッシュ構造となっている。
【０１０２】
以下、このように構成された本発明による乾燥機兼用洗濯機の動作を説明する。
まず、洗濯行程またはすすぎ行程時、制御部１２０は、前記モータ６８をオンにするとともに、前記乾燥装置８０のヒーター８１および循環ファン８２をオンにし、タブ６０内の洗濯水ｗが前記ヒーター８１を通過した空気により加熱されるように循環ポンプ１３４をオンにする。
【０１０３】
前記モータ６８のオンにより前記ドラム６０が回転することで、前記ドラム６０内の洗濯物ｍをリフター９６により持ち上げてから落下しながら洗浄する。
【０１０４】
次いで、前記ヒーター８１および循環ファン８２がオンであるとき、前記ドラム７０またはタブ６０内の空気が前記循環ファン８２により押送され、凝縮ダクト８４および乾燥ダクト８３を順に通過するようになり、前記ヒーター８１により加熱された後、前記ドラム７０の前方を通してドラム７０の内部に循環される。
【０１０５】
次いで、前記循環ポンプ１３４がオンであるとき、前記排水ベローズ１３１を通過した洗濯水ｗは、前記循環ポンプ１３４により前記乾燥装置連結ホース１３７にポンピングされ、このポンピングされた洗濯水は、前記噴霧ノズル１３８により乾燥ダクト８４の内部に噴霧され、この噴霧された洗濯水ｗは、前記乾燥ダクト８４の内部で前記ヒーター１３１により加熱された空気と接触されることで、高温に加熱されてスチームに変わった後、空気と共に前記ドラム７０の前方を通してドラム７０の内部に噴霧される。
【０１０６】
前記ドラム７０の内部に噴霧された高温の洗濯水ｗは、洗濯物ｍを直接浸して高温に洗濯するか高温にすすぐ。
【０１０７】
一方、前記乾燥機兼用洗濯機では、前記洗濯行程または脱水行程が終了された後、脱水行程および乾燥行程が実施されるが、前記脱水行程および乾燥行程は、本発明の第１実施形態と同一であるので、その詳細な説明を省略する。
【図面の簡単な説明】
【０１０８】
【図１】従来の乾燥機兼用洗濯機を示した一部切欠側面図である。
【図２】本発明による乾燥機兼用洗濯機の第１実施形態を示した一部分解斜視図である。
【図３】本発明による乾燥機兼用洗濯機の第１実施形態の洗濯行程またはすすぎ行程時を示した一部切欠側断面図である。
【図４】本発明による乾燥機兼用洗濯機の第１実施形態の乾燥行程時を示した一部切欠側断面図である。
【図５】本発明による乾燥機兼用洗濯機の第１実施形態を示した制御ブロック図である。
【図６Ａ】本発明による乾燥機兼用洗濯機の制御方法の第１実施形態を示した制御フローチャートである。
【図６Ｂ】本発明による乾燥機兼用洗濯機の制御方法の第１実施形態を示した図６Ａに続く制御フローチャートである。
【図６Ｃ】本発明による乾燥機兼用洗濯機の制御方法の第１実施形態を示した図６Ｂに続く制御フローチャートである。
【図７】本発明による乾燥機兼用洗濯機の第２実施形態を示した一部分解斜視図である。
【図８】本発明による乾燥機兼用洗濯機の第２実施形態を示した一部切欠断面図である。
【図９】本発明による乾燥機兼用洗濯機の第２実施形態を示した制御ブロック図である。
【符号の説明】
【０１０９】
５０    ケーシング
５２    ベース
５４    キャビネット
５６    キャビネットカバー
５８    トップカバー
６０    タブ
６２    開口ホール
６４    給水装置
６６    ガスケット
６８    モータ
７０    ドラム
７２    洗濯物出入ホール
７４    通孔
７６    リフター
８０    乾燥装置
８１    ヒーター
８２    循環ファン
８３    乾燥ダクト
８４    凝縮ダクト
８５    冷却水ノズル
８６    冷却水ホース
８７    冷却水バルブ
９０    ポンピング装置
９１    排水ベローズ
９２    フィルタ
９３    フィルタケース
９４    循環ポンプ
９５    洗濯水循環制御バルブ
９６    共通ホース
９７    乾燥装置連結ホース
９８    噴霧ノズル
９９    ドラム噴射ホース
１００    噴射ノズル
１０２    排水ポンプ
１０４    排水ホース
１１０    操作部
１２０    制御部
１３０    ポンピング装置
１３１    排水ベローズ
１３２    フィルタ
１３３    フィルタケース
１３４    循環ポンプ
１３７    乾燥装置連結ホース
【図１】
2005296631.tif 000003
【図２】
2005296631.tif 000004
【図３】
2005296631.tif 000005
【図４】
2005296631.tif 000006
【図５】
2005296631.tif 000007
【図６Ａ】
2005296631.tif 000008
【図６Ｂ】
2005296631.tif 000009
【図６Ｃ】
2005296631.tif 000010
【図７】
2005296631.tif 000011
【図８】
2005296631.tif 000012
【図９】
2005296631.tif 000013